【手続補正書】
【提出日】平成20年9月26日(2008.9.26)
【手続補正１】
【補正対象書類名】明細書
【補正対象項目名】発明の名称
【補正方法】変更
【補正の内容】
【発明の名称】絞り駆動装置、撮像装置、絞り駆動方法、及びコンピュータプログラム
【手続補正２】
【補正対象書類名】明細書
【補正対象項目名】特許請求の範囲
【補正方法】変更
【補正の内容】
【特許請求の範囲】
【請求項１】  基準位置となるように絞り手段を駆動するとともに、前記基準位置となるように駆動された時の絞り手段の絞り位置を検知し、前記検知した絞り手段の絞り位置と前記基準位置とを比較し、前記比較した結果に従って前記絞り手段を駆動する絞り駆動装置において、
前記絞り手段の全開時に検知した絞りの位置情報と、前記絞り手段の全閉時に検知した絞りの位置情報とを用いて、前記比較した結果に従った絞りの駆動位置を設定することを特徴とする絞り駆動装置。
【請求項２】  絞りの開口径を変化可能な絞り手段と、前記絞り手段を駆動して前記絞りの開口径を変化させる絞り駆動手段と、前記絞り駆動手段により開口径を変化させた時の絞りの位置を検知する絞り位置検知手段と、前記絞り位置検知手段により検知した絞りの位置が基準位置となるように指示するための基準位置指示信号を出力する絞り位置指示手段と、前記絞り位置検知手段により検知した絞りの位置と前記絞り位置指示手段から出力された基準位置とを比較する絞り位置比較手段とを有し、前記絞り位置比較手段により比較した結果に従って前記絞りの開度を制御する絞り駆動装置において、
前記絞り位置検知手段により、前記絞りの全開時の位置情報と全閉時の位置情報とを検知し、前記検知した各位置情報に基づいて絞りの駆動位置を設定する絞り位置設定手段を有することを特徴とする絞り駆動装置。
【請求項３】  前記絞り位置設定手段は、前記絞りの全開時と全閉時に前記絞り位置検知手段により検知される絞りの位置情報を用いて、前記絞り手段のダイナミックレンジを演算するダイナミックレンジ演算手段と、
前記絞り位置検知手段により検知される複数の絞り位置を、前記絞り位置指示手段により指示される絞りの基準位置に対応させて調整する絞り位置調整手段と、
前記絞り位置調整手段により、前記複数の絞り位置を調整する時に前記絞り位置指示手段により指示された絞りの基準位置を、所定の記憶領域に記憶する絞り位置情報記憶手段と、
前記複数の絞り位置を前記絞り位置調整手段により調整する時に、前記ダイナミックレンジ演算手段により演算された前記絞り手段のダイナミックレンジを所定の記憶領域に記憶するダイナミックレンジ記憶手段と、
前記ダイナミックレンジ記憶手段により所定の記憶領域に記憶されたダイナミックレンジと、前記ダイナミックレンジ演算手段により新たに演算されたダイナミックレンジとを比較するダイナミックレンジ比較手段と、
前記ダイナミックレンジ比較手段により比較した結果を用いて、前記絞り位置記憶手段の所定の記憶領域に記憶されている絞りの基準位置を新たな基準位置に変換する絞り位置変換手段と、
前記絞り位置変換手段により変換された絞りの新たな基準位置に従って、前記絞り位置指示手段により指示する絞りの基準位置を補正する絞り位置補正手段とを有することを特徴とする請求項２に記載の絞り駆動装置。
【請求項４】  請求項３に記載の絞り駆動装置を有する撮像装置であって、
前記ダイナミックレンジ比較手段は、電源投入直後に、ダイナミックレンジの比較を行うことを特徴とする撮像装置。
【請求項５】  請求項３に記載の絞り駆動装置を有する撮像装置であって、
前記絞り手段を介して撮像された映像情報を表示装置に表示する映像情報表示手段を有し、前記ダイナミックレンジ比較手段は、前記映像情報表示手段により映像を表示する直前または直後に、ダイナミックレンジの比較を行うことを特徴とする撮像装置。
【請求項６】  請求項３に記載の絞り駆動装置を有する撮像装置であって、
前記ダイナミックレンジ比較手段は、シャッタ動作時の絞り位置設定時に、ダイナミックレンジの比較を行うことを特徴とする撮像装置。
【請求項７】  請求項３に記載の絞り駆動装置を有する撮像装置であって、
前記絞り位置変換手段は、電源投入直後に基準位置を新たな基準位置に変換することを特徴とする撮像装置。
【請求項８】  基準位置となるように絞り手段を駆動するとともに、前記基準位置となるように駆動された時の絞り手段の絞り位置を検知し、前記検知した絞り手段の絞り位置と前記基準位置とを比較し、前記比較した結果に従って前記絞り手段を駆動する絞り駆動方法において、
前記絞り手段の全開時に検知した絞りの位置情報と、前記絞り手段の全閉時に検知した絞りの位置情報とを用いて、前記比較した結果に従った絞りの駆動位置を設定することを特徴とする絞り駆動方法。
【請求項９】  絞りの開口径を変化可能な絞り処理と、前記絞り処理により開口径が変化する絞りを駆動する絞り駆動処理と、前記絞り処理により開口径を変化させた時の絞りの位置を検知する絞り位置検知処理と、前記絞り位置検知処理により検知した絞りの位置が基準の位置になるように指示する絞り位置指示処理と、前記絞り位置検知処理により検知した絞りの位置と前記絞り位置指示処理により指示された基準位置とを比較する絞り位置比較処理とを行い、前記絞り位置比較処理により比較した結果に従って、前記絞り処理により開口径が変化する絞りを、前記駆動処理により駆動する絞り駆動方法において、
前記絞り処理により開口径が変化する絞りの全開時と全閉時に前記絞り位置検知処理により検知した絞りの位置情報を用いて、前記絞り位置比較手段により比較した結果に従った絞りの駆動位置を設定することを特徴とする絞り駆動方法。
【請求項１０】  請求項８又は９に記載の絞り駆動方法の処理をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、絞り駆動装置、撮像装置、絞り駆動方法、及びコンピュータプログラムに関し、特に、デジタルカメラの絞りを適正な位置に駆動させるために用いて好適なものである。
【手続補正４】
【補正対象書類名】明細書
【補正対象項目名】０００５
【補正方法】変更
【補正の内容】
【０００５】
【課題を解決するための手段】
本発明の絞り駆動装置は、基準位置となるように絞り手段を駆動するとともに、前記基準位置となるように駆動された時の絞り手段の絞り位置を検知し、前記検知した絞り手段の絞り位置と前記基準位置とを比較し、前記比較した結果に従って前記絞り手段を駆動する絞り駆動装置において、前記絞り手段の全開時に検知した絞りの位置情報と、前記絞り手段の全閉時に検知した絞りの位置情報とを用いて、前記比較した結果に従った絞りの駆動位置を設定することを特徴とする。
また、本発明の他の特徴とするところは、絞りの開口径を変化可能な絞り手段と、前記絞り手段を駆動して前記絞りの開口径を変化させる絞り駆動手段と、前記絞り駆動手段により開口径を変化させた時の絞りの位置を検知する絞り位置検知手段と、前記絞り位置検知手段により検知した絞りの位置が基準位置となるように指示するための基準位置指示信号を出力する絞り位置指示手段と、前記絞り位置検知手段により検知した絞りの位置と前記絞り位置指示手段から出力された基準位置とを比較する絞り位置比較手段とを有し、前記絞り位置比較手段により比較した結果に従って前記絞りの開度を制御する絞り駆動装置において、前記絞り位置検知手段により、前記絞りの全開時の位置情報と全閉時の位置情報とを検知し、前記検知した各位置情報に基づいて絞りの駆動位置を設定する絞り位置設定手段を有する点にある。
【手続補正５】
【補正対象書類名】明細書
【補正対象項目名】０００６
【補正方法】変更
【補正の内容】
【０００６】
本発明の撮像装置は、前記絞り駆動装置を有する撮像装置であって、前記ダイナミックレンジ比較手段は、電源投入直後に、ダイナミックレンジの比較を行うことを特徴とする。
また、本発明の他の特徴とするところは、前記絞り駆動装置を有する撮像装置であって、前記絞り手段を介して撮像された映像情報を表示装置に表示する映像情報表示手段を有し、前記ダイナミックレンジ比較手段は、前記映像情報表示手段により映像を表示する直前または直後に、ダイナミックレンジの比較を行う点にある。
また、本発明のその他の特徴とするところは、前記絞り駆動装置を有する撮像装置であって、前記ダイナミックレンジ比較手段は、シャッタ動作時の絞り位置設定時に、ダイナミックレンジの比較を行う点にある。
また、本発明のその他の特徴とするところは、前記絞り駆動装置を有する撮像装置であって、前記絞り位置変換手段は、電源投入直後に基準位置を新たな基準位置に変換する点にある。
【手続補正６】
【補正対象書類名】明細書
【補正対象項目名】０００７
【補正方法】変更
【補正の内容】
【０００７】
本発明の絞り駆動方法は、基準位置となるように絞り手段を駆動するとともに、前記基準位置となるように駆動された時の絞り手段の絞り位置を検知し、前記検知した絞り手段の絞り位置と前記基準位置とを比較し、前記比較した結果に従って前記絞り手段を駆動する絞り駆動方法において、前記絞り手段の全開時に検知した絞りの位置情報と、前記絞り手段の全閉時に検知した絞りの位置情報とを用いて、前記比較した結果に従った絞りの駆動位置を設定することを特徴とする。
また、本発明の他の特徴とするところは、絞りの開口径を変化可能な絞り処理と、前記絞り処理により開口径が変化する絞りを駆動する絞り駆動処理と、前記絞り処理により開口径を変化させた時の絞りの位置を検知する絞り位置検知処理と、前記絞り位置検知処理により検知した絞りの位置が基準の位置になるように指示する絞り位置指示処理と、前記絞り位置検知処理により検知した絞りの位置と前記絞り位置指示処理により指示された基準位置とを比較する絞り位置比較処理とを行い、前記絞り位置比較処理により比較した結果に従って、前記絞り処理により開口径が変化する絞りを、前記駆動処理により駆動する絞り駆動方法において、前記絞り処理により開口径が変化する絞りの全開時と全閉時に前記絞り位置検知処理により検知した絞りの位置情報を用いて、前記絞り位置比較手段により比較した結果に従った絞りの駆動位置を設定する点にある。
【手続補正７】
【補正対象書類名】明細書
【補正対象項目名】０００８
【補正方法】変更
【補正の内容】
【０００８】
本発明のコンピュータプログラムは、前記絞り駆動方法の処理をコンピュータに実行させることを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
【発明の実施の形態】
次に、添付の図面を参照しながら、本発明の一実施の形態について説明する。なお、本実施の形態では、撮像装置がデジタルカメラの場合を例に挙げる。